(57)【要約】【課題】制御手順タイムアウトの発生を抑えつつ、画像情報の欠落をできる限り抑えることができるファクシミリ信号受信装置を提供する。【解決手段】ファクシミリパケット信号には、ファクシミリ制御情報信号とファクシミリ画像情報信号とページ変更を示す無信号とがある。ファクシミリパケット信号を受信するＩＰゲートウェイ１００は、ファクシミリ制御情報信号及びファクシミリ画像情報信号の受信中における送信先との同期ズレ（クロックズレを含む）を検出し、この間の同期ズレ量を蓄積しておく同期ズレ検出部１２４と、無信号の期間中に、蓄積された同期ズレ量に応じて、受信バッファ１１６ｂから無信号データを削除、または受信バッファ１１６ｂに無信号データを挿入するバッファ内データ増減部１２８と、を備えている。【選択図】  図３
2004274168.tif 000002
【特許請求の範囲】
【請求項１】
ファクシミリ信号送信装置から、パケット化されたファクシミリ信号をＩＰ網を介して受信し、パケット化された該ファクシミリ信号を分解し、分解された該ファクシミリ信号が示すデータを一時的にバッファに蓄え、該バッファに蓄えられたデータに基づいて復号化処理を行うファクシミリ信号受信装置であって、
前記ファクシミリ信号送信装置との同期ズレを修正するファクシミリ信号受信装置の同期ズレ修正方法において、
前記ファクシミリ信号のうち、所定ページの画像を示すファクシミリ画像情報信号と次のページのファクシミリ画像情報信号との間に、挿入される無信号を検出する無信号検出工程と、
前記ファクシミリ信号送信装置からの前記ファクシミリ信号を受信した際、前記ファクシミリ信号送信装置との間のクロックズレを含む同期ズレ量を検出する同期ズレ検出工程と、
前記無信号の期間中に、前記同期ズレ検出工程で検出した前記同期ズレ量に応じて、前記受信バッファ内の前記無信号のデータ（以下、無信号データとする）を削除、又は該受信バッファ内に該無信号データを挿入するバッファ内データ増減工程と、
を含むことを特徴とするファクシミリ信号受信装置の同期ズレ修正方法。
【請求項２】
請求項１に記載のファクシミリ信号受信装置の同期ズレ修正方法において、
前記同期ズレ検出工程では、前記ファクシミリ信号のうちの少なくとも前記ファクシミリ画像情報信号を受信している期間の同期ズレ量を蓄積し、
前記バッファ内データ増減工程では、前記同期ズレ量の蓄積量相当の前記無信号データを、前記受信バッファから削除又は挿入する、
ことを特徴とするファクシミリ信号受信装置の同期ズレ修正方法。
【請求項３】
ファクシミリ信号送信装置から、パケット化されたファクシミリ信号をＩＰ網を介して受信し、パケット化された該ファクシミリ信号を分解し、該ファクシミリ信号が示すデータに基づいて復号化処理を行うファクシミリ信号受信装置において、
前記復号化処理の前に、前記ファクシミリ信号が示すデータを一次的に蓄える受信バッファと、
前記ファクシミリ信号のうち、所定ページの画像を示すファクシミリ画像情報信号と次のページのファクシミリ画像情報信号との間に挿入される無信号を検出する無信号検出手段と、
前記ファクシミリ信号送信装置からの前記ファクシミリ信号を受信した際、該ファクシミリ信号送信装置との間のクロックズレを含む同期ズレ量を検出する同期ズレ検出手段と、
前記無信号検出手段が前記無信号を検出している期間中に、前記同期ズレ検出手段が検出した前記同期ズレ量に応じて、前記受信バッファ内の前記無信号のデータ（以下、無信号データとする）を削除、又は該受信バッファ内に該無信号データを挿入するバッファ内データ増減手段と、
を備えていることを特徴とするファクシミリ信号受信装置。
【請求項４】
請求項３に記載のファクシミリ信号受信装置において、
前記同期ズレ検出手段は、前記ファクシミリ信号のうちの少なくとも前記ファクシミリ画像情報信号を受信している期間の同期ズレ量を蓄積する同期ズレ量蓄積手段を有し、
前記バッファ内データ増減手段は、前記同期ズレ量蓄積手段で蓄積された同期ズレ量相当の前記無信号データを、前記受信バッファから削除又は挿入する、
ことを特徴とするファクシミリ信号受信装置。
【請求項５】
請求項３及び４のいずれか一項に記載のファクシミリ信号受信装置において、
前記バッファ内データ増減手段は、無信号期間中であって、該無信号期間の開始から所定時間経過後に、前記無信号データを前記受信バッファから削除又は挿入する、
ことを特徴とするファクシミリ信号受信装置。
【請求項６】
請求項３から５のいずれか一項に記載のファクシミリ信号受信装置において、
前記受信バッファの容量を変えるバッファ容量変更手段を備えている、
ことを特徴とするファクシミリ信号受信装置。
【請求項７】
請求項６に記載のファクシミリ信号受信装置において、
前記バッファ容量変更手段は、外部からの指示に従ってバッファ容量を変える、
ことを特徴とするファクシミリ信号受信装置。
【請求項８】
請求項６に記載のファクシミリ信号受信装置において、
前記ＩＰ網を介して受信した信号が前記ファクシミリ信号であるか否かを解読する解読手段を備え、
前記バッファ容量変更手段は、前記解読手段が受信信号を前記ファクシミリ信号であると解読すると、バッファ容量を変える、
ことを特徴とするファクシミリ信号受信装置。
【発明の詳細な説明】
【０００１】
【発明の属する技術分野】
本発明は、ＩＰ（Ｉｎｔｅｒｎｅｔ  Ｐｒｏｔｏｃｏｌ）網に接続されているファクシミリ信号受信装置の同期ズレ修正方法、及びこの方法を実行する装置に関する。
【０００２】
【従来の技術】
従来、ＩＰ網を介して、ファクシミリ信号を送受信するものとしては、例えば、以下の特許文献１に記載されているファクシミリ装置がある。
【０００３】
このファクシミリ装置は、ファクシミリ信号を送信する際には、このファクシミリ信号をパケット化した後、これをＩＰ網を介して、送信先のファクシミリ装置に送る。また、送信先のファクシミリ装置は、ＩＰ網を介して送られてきたパケットデータを分解した後、この分解で得られたファクシミリ信号を復号化する。
【０００４】
このように、ＩＰ網を介して、パケット信号を送受信する装置では、相手側の装置との同期ズレ等を抑制するために、受信バッファが設けられている。
【０００５】
このような受信バッファがあると、クロックズレを含む同期ズレが生じたとしても、このバッファの容量分だけの同期ズレを吸収することができる。
【０００６】
【特許文献１】
特開２００２−１０１２５６号
【０００７】
【発明が解決しようとする課題】
しかしながら、従来技術では、高画質又は大容量のファクシミリデータが送られてきた場合、その受信に時間がかかるために、この間に同期ズレの蓄積が大きくなり、この同期ズレ量がバッファ容量を越えてしまい、画像情報の一部が欠落してしまうことがあるという問題点がある。
【０００８】
そこで、バッファ容量を大きくすると、以上の問題点を解消できるものの、バッファ以降の処理で、このバッファ容量見合いのデータ遅延が生じるために、制御手順タイムアウトが発生することがあり、ファクシミリ信号の受信に支障をきたしてしまうという問題点がある。
【０００９】
本発明は、以上のような従来の問題点に着目してなされたもので、制御手順タイムアウトの発生を抑えつつ、画像情報の欠落をできる限り抑えることができるファクシミリ信号受信装置の同期ズレ修正方法、及びこの方法を実行する装置を提供することを目的とする。
【００１０】
【課題を解決するための手段】
前記目的を達成するためのファクシミリ信号送信装置との同期ズレを修正するファクシミリ信号受信装置の同期ズレ修正方法は、
ファクシミリ信号のうち、所定ページの画像を示すファクシミリ画像情報信号と次のページのファクシミリ画像情報信号との間に、挿入される無信号を検出する無信号検出工程と、
前記ファクシミリ信号送信装置からの前記ファクシミリ信号を受信した際、前記ファクシミリ信号送信装置との間のクロックズレを含む同期ズレ量を検出する同期ズレ検出工程と、
前記無信号の期間中に、前記同期ズレ検出工程で検出した前記同期ズレ量に応じて、前記受信バッファ内の前記無信号のデータ（以下、無信号データとする）を削除、又は該受信バッファ内に該無信号データを挿入するバッファ内データ増減工程と、
を含むことを特徴とするものである。
【００１１】
ここで、前記同期ズレ検出工程では、前記ファクシミリ信号のうちの少なくとも前記ファクシミリ画像情報信号を受信している期間の同期ズレ量を蓄積し、前記バッファ内データ増減工程では、前記同期ズレ量の蓄積量相当の前記無信号データを、前記受信バッファから削除又は挿入してもよい。
【００１２】
また、前記目的を達成するためのファクシミリ信号受信装置は、
パケット化されたファクシミリ信号を分解した後、これを復号化処理の前に、該ファクシミリ信号が示すデータを一次的に蓄える受信バッファと、
前記ファクシミリ信号のうち、所定ページの画像を示すファクシミリ画像情報信号と次のページのファクシミリ画像情報信号との間に挿入される無信号を検出する無信号検出手段と、
ファクシミリ信号送信装置からの前記ファクシミリ信号を受信した際、該ファクシミリ信号送信装置との間のクロックズレを含む同期ズレ量を検出する同期ズレ検出手段と、
前記無信号検出手段が前記無信号を検出している期間中に、前記同期ズレ検出手段が検出した前記同期ズレ量に応じて、前記受信バッファ内の前記無信号のデータ（以下、無信号データとする）を削除、又は該受信バッファ内に該無信号データを挿入するバッファ内データ増減手段と、
を備えていることを特徴とするものである。
【００１３】
ここで、前記同期ズレ検出手段は、前記ファクシミリ信号のうちの少なくとも前記ファクシミリ画像情報信号を受信している期間の同期ズレ量を蓄積する同期ズレ量蓄積手段を有し、前記バッファ内データ増減手段は、前記同期ズレ量蓄積手段で蓄積された同期ズレ量相当の前記無信号データを、前記受信バッファから削除又は挿入してもよい。
【００１４】
また、前記バッファ内データ増減手段は、無信号期間中であって、該無信号期間の開始から所定時間経過後に、前記無信号データを前記受信バッファから削除又は挿入することが好ましい。
【００１５】
また、以上のファクシミリ信号受信装置は、前記受信バッファの容量を変えるバッファ容量変更手段を備えていてもよい。この場合、前記バッファ容量変更手段は、外部からの指示に従ってバッファ容量を変えてもよいし、解読手段が受信信号をファクシミリ信号であると解読すると、バッファ容量を変えてもよい。
【００１６】
なお、以上のファクシミリ信号受信装置に係る発明は、パケット化されたファクシミリ信号を受信し、これを分解処理するものであれば、如何なる装置に適用してもよく、例えば、ＩＰゲートウェイ、ＩＰ交換機、ＩＰファクシミリ装置等に適用してもよい。
【００１７】
具体的に、ＩＰゲートウェイは、
以上のいずれかのファクシミリ信号受信装置と、
各種データをパケット化するパケット化手段と、
前記パケット化手段でパケット化されたデータを前記ＩＰ網へ送る送信手段と、
を備えることで構成できる。
【００１８】
また、ＩＰ交換機は、
以上のいずれかのファクシミリ信号受信装置と、
各種データをパケット化するパケット化手段と、
前記パケット化手段でパケット化されたデータを前記ＩＰ網へ送る送信手段と、
送信元と受信先との間の呼制御を行う呼制御手段と、
を備えることで構成できる。
【００１９】
また、ＩＰファクシミリ装置は、
以上のいずれかのファクシミリ信号受信装置と、
前記復号化処理で復号化されたデータに基づいて画像を形成する画像形成手段と、
を備えることで構成できる。
【００２０】
【発明の実施の形態】
以下、本発明に係るファクシミリ信号受信装置の各種実施形態について、図面を用いて説明する。
【００２１】
まず、図１〜図４を用いて、ファクシミリ信号受信装置の第一実施形態について説明する。
【００２２】
本実施形態のファクシミリ信号受信装置は、ＩＰゲートウェイである。ここで、このＩＰゲートウェイを備えている通信システムについて、図１を用いて説明する。
【００２３】
この通信システムは、ＩＰ網１０９に接続されている複数のルータ１０８，１０８ａと、各ルータ１０８，１０８ａにそれぞれ接続されているＨＵＢ１０７，１０７ａと、このＨＵＢ１０７，１０７ａにＬＡＮ回線で接続されているＩＰゲートウェイ１００，１００ａと、このＩＰゲートウェイ１００の各種設定値等を変更するコンピュータ１０５と、これらＩＰゲートウェイ１００，１００ａに接続されている構内交換機（ＰＢＸ：Ｐｒｉｖａｔｅ  Ｂｒａｎｃｈ  Ｅｘｃｈａｎｇｅｒ）１０３，１０３ａと、このＰＢＸ１０３の各種設定値等を変更するコンピュータ１０６と、これらＰＢＸ１０３，１０３ａに接続されている複数の一般電話機１０１，１０１ａ及び一般ファクシミリ装置１０２，１０２ａと、で構成されている。ＰＢＸ１０３は、さらに公衆電話交換網（ＰＳＴＮ：Ｐｕｂｌｉｃ  Ｓｗｉｔｃｈｅｄ  Ｔｅｌｅｐｈｏｎｅ  ＮｅｔｗｏｒＫ）１１０と接続されている。
【００２４】
本実施形態のファクシミリ信号受信装置であるＩＰゲートウェイ１００は、図２に示すように、ＰＢＸ１０３から一般電話機１０１や一般ファクシミリ装置１０２等からの信号を受け取るＰＢＸインタフェース１１１と、ＬＡＮ回線を介してＩＰ網と接続されているイーサネット（米国ゼロックス社の登録商標）コントローラ１１２と、ＰＢＸインタフェース１１１で受信した信号のうちの音声信号やファクシミリ信号等を圧縮し符号化すると共にイーサネットコントローラ１１２で受信した信号を伸張し復号化するＤＳＰ１１３と、本装置１００の各種動作プログラムや各種動作履歴等が格納されたメモリカードに対してデータの読み書きを行うカードフラッシュコントローラ１１４、本装置１００の各種動作プログラム等が格納されているＥＰＲＯＭ１１５と、受信バッファやワークメモリとして機能するＲＡＭ１１６と、外部コンピュータとの間での通信を行うシリアルバスコントローラ１１７と、各種情報を表示するＲＥＤ１１８と、ＥＰＲＯＭ１１５等に格納されている動作プログラムに従って各種動作を行うＣＰＵ１２０と、これら相互を接続するバス１１９と、を備えている。
【００２５】
このＩＰゲートウェイは、機能的には、図３に示すように、ＩＰ網からのパケット信号を処理するパケット信号受信処理部１４０と、ＩＰ網へ送信するパケット信号を処理するパケット信号送信処理部１３０とを備えている。
【００２６】
ＣＰＵ１２０は、パケット信号受信処理部１４０としての機能部位として、イーサネットコントローラ１１２の受信部１１２ｂが受信したＩＰ網からのパケット信号を分解して、ＲＡＭ１１６内の受信バッファ１１６ｂに格納するパケット分解部１２１ｂと、パケット分解部１２１ｂによる分解で得られたデータがどのようなデータであるかを解読するデータ解読部（無信号検出部）１２２と、イーサネットコントローラ１１２の受信部１１２ｂが受信したパケット信号から同期ズレ量を求める同期ズレ検出部１２３と、同期ズレ検出部１２３で検出した同期ズレ量に応じて受信バッファ１１６ｂ内のデータを増減させるバッファ内データ増減部１２８と、受信バッファ１１６ｂの容量を変えるバッファ容量変更部１２９と、を有している。さらに、ＣＰＵ１２０は、各種部位の基準クロック信号を発生する基準クロック１２７とを有していると共に、パケット信号送信処理部１３０としての機能部位として、ＤＳＰコントローラ１１３の符号化部１１３ａで符号化された信号をパケット化して、これをイーサネットコントローラ１１２の送信部１１２ａに渡すパケット化部１２１ａを有している。
【００２７】
同期ズレ検出部１２３は、基準クロック１２７からのクロック信号に応じて、１０ｓ間隔毎のパケット信号の数をカウントするカウンタ１２４と、このカウンタ１２４がカウントしたパケット数からこれらのパケット信号の送信側の送信時間を求めてから、この送信時間と実際の受信時間１０ｓとの差、つまり同期ズレ量を求める計測期間・同期ズレ検出部１２５と、この計測期間・同期ズレ検出部１２５で検出した同期ズレ量を蓄積する同期ズレ量蓄積部１２６と、を有している。
【００２８】
次に、本実施形態のＩＰゲートウェイ１００がＩＰ網１０９からＬＡＮ回線を経て、ファクシミリパケット信号を受信した際の動作について説明する。
【００２９】
イーサネットコントーラ１１２の受信部１１２ｂがＬＡＮ回線からのパケット信号を受信すると、パケット分解部１２１ｂがこのパケット信号を分解して、この分解の結果得られたデータを受信バッファ１１６ｂに一時的に格納する。また、データ解読部１２２は、分解の結果得られたデータから、当該パケット信号がファクシミリ信号であるか否かを判断する。具体的には、パケット信号の分解で得られたパケット信号のヘッダ部の記述内容からファクシミリ信号であるか否かを判断する。データ解読部１２２は、受信信号がファクシミリ信号であると判断すると、その旨ｆを同期ズレ検出部１２３及びバッファ量変更部１２９に送る。同期ズレ検出部１２３は、これを受け取ると起動し、バッファ容量変更部１２９は、受信バッファ１１６ｂの容量を後述のファクシミリ信号用バッファ容量に変更する。
【００３０】
同期ズレ検出部１２３が起動すると、この同期ズレ検出部１２３のカウンタ１２４は、計測期間であるｎ秒４０５（図４に示す）、ここでは１０秒間隔毎に受信パケット信号の数をカウントする。仮に、ファクシミリ信号送信側が１０ｍｓに１つのパケット信号を送信する場合、ＩＰ網１０９に揺らぎがなく、且つファクシミリ信号送信側とのクロックズレもない場合には、１０秒間で１００個のパケット信号をカウントすることになる。しかし、実際には、ＩＰ網１０９には揺らぎがあり、且つファクシミリ信号送信側とのクロックズレもあるので、１０秒間のカウント数は、例えば、９８個であったり、１０４個であったりする。同期ズレ検出部１２３の計測期間同期ズレ検出部１２５は、以下の（数１）に示すように、カウンタ１２４からこのパケット信号のカウント数ｍを受け取って、このカウント数ｍにパケット信号送信間隔（１０ｍｓ）を掛けて、これらのパケット信号の送信時間を求め、この送信時間から、受信時間の１０秒（１０００ｍｓ）を減算して、計測期間（１０ｍｓ）中における同期ズレ量ｅを求める。
【００３１】
計測期間同期ズレ量ｅ＝（ｍ×１０ｍｓ）−１０００ｍｓ
計測期間・同期ズレ検出部１２５は、１０秒毎に、この計測期間同期ズレ量ｅを求め、この値を同期ズレ量蓄積部１２６に格納する。
【００３２】
ところで、図４に示すように、ファクシミリパケット信号４００中には、出力用紙サイズ等のデータが示されているファクシミリ制御情報信号４０１、ファクシミリ画像情報信号４０２、ページ変更を示す無信号４０３がある。これらの信号は、ファクシミリ制御情報信号４０１、ファクシミリ画像情報信号４０２、無信号４０３の順で受信され、以降、これらの信号が繰り返し受信される。
【００３３】
同期ズレ検出部１２３は、最初のファクシミリ制御情報信号４０１を受信したときから、同期ズレ量を検出し、無信号４０３の期間が開始されるまで、同期ズレ量蓄積部１２６に、各計測期間で検知された同期ズレ量を順次蓄積する。
【００３４】
バッファ内データ増減部１２８は、データ解読部１２２は、無信号を検知すると、その旨ｂをバッファ内データ増減部１２８に知らせる。バッファ内データ増減部１２８は、この知らせｂを受けてから、所定期間（Ｘｍｓ、ここでは、１００ｍｓ）４０４の経過後に、同期ズレ量蓄積部１２６に蓄積された同期ズレ量相当の無信号データを受信バッファ１１６ｂに挿入、又は受信バッファ１１６ｂから同期ズレ量相当の無信号データを削除する。
【００３５】
具体的には、例えば、図４に示すように、無信号４０３の期間の開始時に、同期ズレ量蓄積部１２６に蓄積された同期ズレ量Ｅが（＋）３０ｍｓである場合には、受信側を基準にすると、送信側のファクシミリパケット信号の送信速度が速くて、検出開始から３０ｍｓ分の同期ズレが生じていることになるので、３０ｍｓ分のデータ、つまり、パケット数にすると３個（＝３０ｍｓ÷１０ｍｓ）分のデータを受信バッファから削除し、クロックズレを含む同期ズレを修正する。この削除タイミングは、前述したように、無信号４０３の期間であって、無信号期間の開始から所定時間４０４の経過後であるので、受信バッファ１１６ｂから削除するデータは無信号を示す無信号データである。したがって、受信バッファ１１６ｂからのデータ削除を行っても、ファクシミリ制御情報やファクシミリ画像情報に対して何ら影響はない。
【００３６】
また、同期ズレ量蓄積部１２６に蓄積された同期ズレ量Ｅが（−）３０ｍｓである場合には、受信側を基準にすると、送信側のファクシミリパケット信号の送信速度が遅くて、検出開始から３０ｍｓ分の同期ズレが生じていることになるので、３０ｍｓ分のデータ、つまり、パケット数にすると３個分の無信号データを受信バッファ１１６ｂに挿入し、クロックズレを含む同期ズレを修正する。
【００３７】
なお、無信号期間は、Ｔ．３０勧告で最低でも、９５ｍｓと定められているので、ここでは、無信号期間の開始からの所定時間４０４を１００ｍｓにしている。
【００３８】
一般的に、ＩＰ網１０９を介しての通信では、数ｍｓオーダの細かな揺らぎによる影響を受ける。このため、数ｍｓオーダで、クロックズレを含む同期ズレを検知しようとしても、この揺らぎによる影響が大きくて、同期ズレを検知することができない。そこで、本実施形態では、１ページ分のファクシミリ信号を受信している長い期間に渡って、同期ズレを蓄積することで、細かな揺らぎを平滑化し、この細かな揺らぎによる影響を排除して、クロックズレを含む同期ズレを検知し、これを修正している。
【００３９】
バッファ内データ増減部１２８は、受信バッファ１１６ｂ内のデータの増減を行うと、直ちにその旨ｃを同期ズレ検知部１２３に知らせ、新たに、同期ズレ量の検出を開始させる。以降は、以上と同様に、無信号期間になる毎に、同期ズレ量を修正する。
【００４０】
受信バッファ１１６ｂに格納されたデータは、その後、ＤＳＰコントローラ１１３の復号化部１１３ｂで復号化及び伸張された後、ＰＢＸインタフェース１１１の送信部１１１ｂから、ＰＢＸ１０３を経て、送信先のファクシミリ装置１０２へ送られる。
【００４１】
また、このファクシミリ装置１０２からファクシミリ信号を送出した場合は、このファクシミリ信号は、ＰＢＸ１０３を経て、ＩＰゲートウェイ１００のＰＢＸインタフェース１１１の受信部１１１ａで受信され、ＤＳＰコントローラ１１３の符号化部１１３で符号化及び圧縮される。その後、パケット化部１２１でパケット化され、ファクシミリパケット信号として、イーサネットコントローラ１１２の送信部１１２ａからＩＰ網１０９へ送られる。
【００４２】
ＩＰゲートウェイ１００のイーサネットコントーラ１１２がＬＡＮ回線からの音声パケット信号を受信した場合には、データ解読部１２２は、その旨ｆをバッファ容量変更部１２９に通知し、受信バッファ１１６ｂの容量を音声信号用バッファ容量に変更させる。
【００４３】
一般的に、ファクシミリ信号は、一部が欠落すると、正確な画像を生成することができなくなるので、このファクシミリ信号の欠落は、できる限り避けることが好ましい。これに対して、音声信号は、一部が欠落しても、送信側と受信側との間での会話にほとんど支障をきたすことがないので、この音声信号の欠落は、多少許容できる。そこで、ここでは、ファクシミリ信号用バッファ容量を２００ｍｓ分のデータ容量に定め、音声信号用バッファ容量を１００ｍｓ分の容量に定め、音声信号を受信したときと、ファクシミリ信号を受信したときとで、受信バッファの容量を変えている。なお、これらのファクシミリ信号用バッファ容量及び音声信号用バッファ容量は、シリアスバスコントローラ１１７を介して、外部コンピュータ１０５から設定変更することができる。また、ここでは、あくまでも、ファクシミリ信号の受信をトリガーとして、バッファ容量変更部１２９が受信バッファ１１６ｂのバッファ容量を設定値に変更しているが、外部コンピュータ１０５からのバッファ容量の設定値の指定をトリガーとして、バッファ容量を変更するようにしてもよい。
【００４４】
以上のように、本実施形態では、高画質又は大容量のファクシミリパケット信号が送られてきて、その受信に時間がかかっても、一定間隔で、クロックズレを含む同期ズレを検出し、この同期ズレを修正しているので、同期ズレの蓄積により、この同期ズレ量が受信バッファの容量を越えてしまうことがなくなり、画像情報の欠落を最小限に抑えることができる。
【００４５】
本実施形態では、このように、クロックズレを含む同期ズレを解消しているので、受信バッファ容量をむやみに大きくする必要がなく、受信バッファ容量に見合いのデータ遅延による制御手順タイムアウトの発生を抑えることができる。
【００４６】
また、本実施形態では、受信バッファからのデータの削除、または受信バッファへのデータの挿入で、同期ズレの修正を行っているが、これらの修正は、無信号を受信している期間中に行っているので、ファクシミリ信号のうちのファクシミリ制御情報やファクシミリ画像情報に何ら影響を与えることはなく、画像形成や通信状況に悪影響を及ぼすことはない。
【００４７】
次に、ファクシミリ信号受信装置の第二実施形態について、図５を用いて説明する。
【００４８】
ＰＢＸには、先に述べた第一実施形態のように、パケット処理を実行できないものもあるが、パケット処理を実行できるものもある。本実施形態は、このパケット処理を実行できるＩＰ・ＰＢＸである。
【００４９】
本実施形態のＩＰ・ＰＢＸ２００は、一般電話機１０１や一般ファクシミリ装置１０２と接続されている構内回線インタフェース２０１と、ＰＳＴＮ１１０に接続されている局線インタフェース２０２と、スイッチ回路２０３と、各種制御を行うＰＢＸ制御部２０４と、パケット処理を実行する複数のＩＰトランク２０６，２０６，２０６とを備えている。
【００５０】
ＰＢＸ制御部２０４は、相手先との間の呼制御を行う呼制御部２０５を有している。また、各ＩＰトランク２０６は、基本的に、第一実施形態のパケット信号送信処理部１３０と同一構成のパケット信号送信処理部１３０ａと、同じく、基本的に、第一実施形態のパケット信号受信処理部１４０と同一構成のパケット信号受信処理部１４０ａとを備えている。
【００５１】
以上のように、本実施形態のＩＰ・ＰＢＸ２００は、第一実施形態のパケット信号受信処理部１４０と同一構成のパケット信号受信処理部１４０ａを備えているので、第一実施形態と同様に、ファクシミリパケット信号が送られてきたときに、クロックズレを含む同期ズレの修正を行うことができる。
【００５２】
次に、ファクシミリ信号受信装置の第三実施形態について、図６を用いて説明する。
【００５３】
ファクシミリ装置は、一般的に、パケット処理を実行できないものもあるが、近年、パケット処理を実行するものも考えられている。本実施形態は、このパケット処理を実行できるＩＰファクシミリ装置である。
【００５４】
本実施形態のＩＰファクシミリ装置３００は、画像データを取り込むスキャナ機構３０１と、画像を形成する印刷機構３０２と、これらの機構を制御すると共に呼制御を行うファクシミリ制御部３０３と、第一実施形態のパケット信号送信処理部１３０と基本的に同一構成のパケット信号送信処理部１３０ｂと、同じく、第一実施形態のパケット信号受信処理部１４０と基本的に同一構成のパケット信号受信処理部１４０ｂとを備えている。なお、パケット信号送信処理部１３０ｂの受信部３０４ａ、及びパケット信号受信処理部１４０ｂの送信部３０４ｂは、いずれも、ファクシミリ制御部インタフェース３０４に設けられている。
【００５５】
以上のように、本実施形態でも、第一実施形態のパケット信号受信処理部１４０と基本的に同一構成のパケット信号受信処理部１４０ｂを備えているので、第一実施形態と同様、ファクシミリパケット信号が送られてきたときに、クロックズレを含む同期ズレの修正を行うことができる。
【００５６】
ところで、このＩＰファクシミリ装置３００は、ファクシミリパケット信号のみを受信するののであるため、受信信号が音声信号かファクシミリ信号かでバッファ容量を変更することはないが、例えば、各種操作ボタンの操作による指示でバッファ容量を変えるようにしてもよい。但し、電話機能を備えているものでは、音声信号も受信することになるので、この場合には、第一実施形態と同様に、受信信号が音声信号かファクシミリ信号かでバッファ容量を変更するようにしてもよい。
【００５７】
【発明の効果】
本発明によれば、高画質又は大容量のファクシミリパケット信号が送られてきて、その受信に時間がかかっても、一定間隔で、クロックズレを含む同期ズレを検出し、この同期ズレを修正しているので、同期ズレの蓄積により、この同期ズレ量が受信バッファの容量を越えてしまうことがなくなり、画像情報の欠落を最小限に抑えることができる。したがって、本発明では、以上のように、クロックズレを含む同期ズレを解消しているので、受信バッファ容量をむやみに大きくする必要がなく、受信バッファ容量に見合いのデータ遅延による制御手順タイムアウトの発生を抑えることができる。
【００５８】
また、本発明では、受信バッファからのデータの削除、または受信バッファへのデータの挿入で、同期ズレの修正を行っているが、これらの修正は、無信号を受信している期間中に行っているので、ファクシミリ信号のうちのファクシミリ制御情報やファクシミリ画像情報に何ら影響を与えることはなく、画像形成や通信状況に悪影響を及ぼすことはない。
【図面の簡単な説明】
【図１】本発明に係る第一実施形態における通信システムの系統図である。
【図２】本発明に係る第一実施形態におけるファクシミリ信号受信装置（ＩＰゲートウェイ）の回路ブロック図である。
【図３】本発明に係る第一実施形態におけるファクシミリ信号受信装置（ＩＰゲートウェイ）の機能ブロック図である。
【図４】本発明に係る第一実施形態における同期ズレ検出と、同期ズレ修正タイミングとを示す説明図である。
【図５】本発明に係る第二実施形態におけるファクシミリ信号受信装置（ＩＰ・ＰＢＸ）の回路ブロック図である。
【図６】本発明に係る第三実施形態におけるファクシミリ信号受信装置（ＩＰファクシミリ装置）の回路ブロック図である。
【符号の説明】
１００，１００ａ…ＩＰゲートウェイ、１０１，１０１ａ…一般電話機、１０２，１０２ａ…一般ファクシミリ装置、１０３，１０３ａ…ＰＢＸ、１０９…ＩＰ網、１２１ａ…パケット化部、１２１ｂ…パケット分解部、１２２…データ解読部、１２３…同期ズレ検出部、１２４…カウンタ、１２５…計測期間・同期ズレ検出部、１２６…同期ズレ量蓄積部、１２８…バッファ内データ増減部、１２９…バッファ容量変更部、１３０，１３０ａ，１３０ｂ…パケット信号送信処理部、１４０，１４０ａ，１４０ｂ…パケット信号受信処理部、２００…ＩＰ・ＰＢＸ、３００…ＩＰファクシミリ装置。
【図１】
2004274168.tif 000003
【図２】
2004274168.tif 000004
【図３】
2004274168.tif 000005
【図４】
2004274168.tif 000006
【図５】
2004274168.tif 000007
【図６】
2004274168.tif 000008